(57)【要約】      （修正有）【課題】表示内容の変更が容易であり、しかも見やすい表示を高輝度フルカラーＬＥＤで表示できるようにした表示装置を備える仮囲いパネルを提供する。【解決手段】仮囲いパネル１に設けた表示用角穴２と、該表示用角穴２に表示画面６を位置付けて仮囲いパネル１に結合するための結合用孔を有する翼状支持辺を外周上の少なくとも左右側に設けて前面側を額縁状開口に形成した浅底の箱状本体５と、表示用角穴２に対応する形状のフルカラーＬＥＤの表示画面６を備え、表示画面６を箱状本体５の額縁状開口に装着して当該箱状本体５を表示用角穴２に着脱自在に装着し仮囲いパネル１に形成した。【選択図】図１
0003213744.tif 000002
【実用新案登録請求の範囲】
【請求項１】
仮囲いパネルに設けた表示用角穴と、該表示用角穴に表示画面を位置付けて前記仮囲いパネルに結合するための結合用孔を有する翼状支持辺を外周上の少なくとも左右側に設けて前面側を額縁状開口に形成した浅底の箱状本体と、前記表示用角穴に対応する形状のフルカラーＬＥＤの表示画面を備え、前記表示画面を前記箱状本体の額縁状開口に装着して当該箱状本体を前記表示用角穴に着脱自在に装着したことを特徴とするＬＥＤ表示画面を具備する仮囲いパネル。
【請求項２】
表示画面は、電源部を含むＬＥＤ表示制御部を前記箱状本体の内部、又は箱状本体の外部に備える請求項１に記載の仮囲いパネル。
【請求項３】
仮囲いパネルに設ける表示用角穴は、左右幅が１枚の仮囲いパネルの左右幅に見合う左右幅を有する略正方形か、又は前記左右幅と同じ左右幅を有する縦長の略長方形である請求項１又は２に記載の仮囲いパネル。
【請求項４】
表示用角穴は、上下幅を少なくとも１枚の仮囲いパネルの左右幅と略同等にすると共に左右幅を少なくとも２枚以上の仮囲いパネルの左右方向に延びた大きさにして当該少なくとも２枚以上の仮囲いパネルに設け、前記表示用角穴に箱状本体を介して装着するＬＥＤ主体の表示画面は、形成された前記表示用角穴の大きさに見合う上下幅と左右幅を有する表示画面を用いる請求項１〜３のいずれかに記載の仮囲いパネル。
【請求項５】
表示用角穴の左右幅が仮囲いパネルの２枚以上に及ぶ大きさのときは、箱状本体の外周上に形成した翼状支持辺を、前記仮囲いパネルを支えている単管等の支持部材にも支持させるようにした請求項４に記載の仮囲いパネル。
【請求項６】
箱状本体の翼状支持辺には仮設パネルの起立段部に結合するための結合用孔がダルマ孔として形成されており、仮囲いパネルの表示用角穴の裏面に形成されているパネル接合用の起立段部に立てられたネジに前記ダルマ孔を係止し、前記ネジの締結、弛緩により仮囲いパネルに前記箱状本体を固着、離脱できるようにした請求項１〜５のいずれかに記載の仮囲いパネル。
【請求項７】
表示画面のＬＥＤには、ＲＧＢの３色素子を１パッケージの１画素とする高輝度ホワイトＬＥＤランプ、又は３色が独立したＬＥＤランプを１画素とするＬＥＤを使用した請求項１〜６のいずれかに記載の仮囲いパネル。
【請求項８】
ＬＥＤ表示制御部は、少なくとも映像信号と制御信号を分配して出力を制御するビデオ分配器を含み複数の映像信号の供給に対する切換えスイッチ機能を備えたビデオ信号処理部と、周囲の明るさに応じてＬＥＤの輝度を自動調整するライトセンサーを含む請求項２〜７のいずれかに記載の仮囲いパネル。
【考案の詳細な説明】
【技術分野】
【０００１】
本考案は、工事現場等の周囲を囲むように設置される仮囲いに使用された金属製又は合成樹脂製の仮囲いパネル（以下、単に「仮囲いパネル」という）であって、当該パネルと一体になったＬＥＤ式の表示装置を備えた仮囲いパネルに関する。
【背景技術】
【０００２】
工事現場用の電気式や電子式の表示装置としては、特許文献１〜３などによって仮囲いパネルに囲まれた工事現場の出入口近傍に立て看板状に設置する独立した表示装置や、仮囲いパネルに取付けて設置する表示装置が知られている。
【０００３】
上記表示装置は、工事現場を取り囲んだ仮囲いの近傍では夜間における街灯機能の目的や工事内容等の表示、或は工事業者のＰＲ等の目的のために設けられるものであるが、表示内容が固定的であり、また内照式の表示であるため、表示内容を変更するには表示画面自体を入れ替える必要があり、また夜間では照度が低いため街灯代替機能も十分ではなく表示も見にくいという問題があった。
【０００４】
特に、仮囲いパネルで囲まれた工事現場に設けられる表示装置は、工事業者や施主等の社名や社標等を表示することも多いが、表示する期間や表示する時期によっては表示内容を変更しなければならない。しかし、上記のような表示内容の変更には手間を要する作業や操作が不可欠であるため、簡易迅速な表示変更には無理があった。
【０００５】
また、前記特許文献により公知の表示装置の複数個が仮囲いパネルに沿って並べて設置される場合において、各表示装置の電源ラインの配置や該電源ラインの接続については合理的な電源の導入形態や接続形態を採用したものは見当たらない。
【先行技術文献】
【特許文献】
【０００６】
【特許文献１】特開平１０−１０２７８７号
【特許文献２】特開  ２００５−３３６９６２号
【特許文献３】特開  ２００７−２９１６２８号
【考案の概要】
【考案が解決しようとする課題】
【０００７】
本考案は、表示内容の変更が容易であり、しかも見やすい表示を高輝度で実現できる表示装置であってその電源電力の導入にも新たな形態を備える表示装置を具備した仮囲いパネルを提供することを、その課題とする。
【課題を解決するための手段】
【０００８】
上記課題を解決することを目的としてなされた本考案仮囲いパネルの構成は、仮囲いパネルに設けた表示用角穴と、該表示用角穴に表示画面を位置付けて前記仮囲いパネルに結合するための結合用孔を有する翼状支持辺を外周上の少なくとも左右側に設けて前面側を額縁状開口に形成した浅底の箱状本体と、前記表示用角穴に対応する形状のフルカラーＬＥＤの表示画面を備え、前記表示画面を前記箱状本体の額縁状開口に装着して当該箱状本体を前記表示用角穴に着脱自在に装着したことを特徴とする。本考案では、前記箱状本体が前記ＬＥＤ表示画面に隣接して設けた電源部を含むＬＥＤ表示制御部と、前記電源部に接続されたリード部コードを介して前記箱状本体の外に設けられた入力用プラグと出力用コンセントとを具備しているものもある。
【０００９】
本考案における前記ＬＥＤには、ＲＧＢの３色素子を１画素の１パッケージとする高輝度ホワイトＬＥＤを用いることができ、３色が独立した３個のＬＥＤランプを１画素とするＬＥＤを用いることもできる。
また、前記ＬＥＤ表示制御部は、少なくとも映像信号と制御信号を分配しＤＶＩリンクでの出力を制御するビデオ信号分配部を含むが、これに加え前記映像信号が複数のＰＣ等から供給される場合には少なくともその切換えスイッチ機能を備えたビデオ処理部と、周囲の明るさに応じて前記ＬＥＤの輝度を自動調整するライトセンサーを含むことが好ましい。
【００１０】
仮囲いパネルに設ける表示用角穴の設置形態には、仮囲いパネル１枚についてはパネルの略左右幅と同等左右幅を有する略正方形の角穴形態での設置、或は前記略正方形角穴の上下方向を前記左右幅の例えば約２倍〜３倍にした縦長の略長方形の形態がある。
更には、上下幅は少なくとも前記略正方形角穴と同等乃至それ以上で左右幅が２枚以上の仮囲いパネルの左右方向に延びる横長略長方形の角穴形態とすることもある。
上記の各角穴形態に対しては、前記箱状本体とＬＥＤ表示画面がその大きさと形状を設置される表示用角穴に合わせて形成されたものを用いる。
【００１１】
本考案において、前記箱状本体が備える翼状支持辺は、箱状本体外周の左右側、又は上下側、若しくは全外周に設けることができる。仮囲いパネルに設ける表示用角穴が前記パネル左右幅と略同等の略正方形の場合や、左右幅が仮囲いパネルの左右幅と同等で縦長の略長方形の場合には、翼状支持辺は、左右側に設けることが望ましい。これは仮囲いパネルの左右側が備えるパネル接続用の起立段部に前記翼状支持辺を対応させて結合するためである。前記翼状支持辺には、前記起立段部に結合するための結合用孔が、ダルマ孔として形成されている。箱状本体の左右側の翼状支持辺にダルマ孔を設けたときは、仮囲いパネルの開口部の裏面に形成されているパネル接合用の起立段部に立てたネジに前記ダルマ孔を係止し、前記ネジの締結により仮囲いパネルに前記箱状本体を固定して装着できるようにしている。
【００１２】
本考案において、表示用角穴が左右で隣り合う少なくとも２枚以上の仮囲いパネルの左右幅に及ぶ左右幅で縦幅も仮囲いパネルの左右幅の少なくても２倍以上幅を有するような大型の表示用角穴である場合、用いる箱状本体と表示画面も前記大型の表示用角穴に見合う大きさ、形状のものを用いる。また、この場合の箱状本体の取付は、パネル接続用の起立段部での支持の他に、仮囲いパネル自体を支持するために設置されている単管等の支持部材に担持させることもある。
【考案の効果】
【００１３】
本考案では、仮囲いパネルに設けた表示用角穴と、該表示用角穴に表示画面を位置付けて前記仮囲いパネルに結合するための結合用孔を有する翼状支持辺を外周上の少なくとも左右側に設けて前面側を額縁状開口に形成した浅底の箱状本体とを備え、前記表示用角穴に対応する形状のフルカラーＬＥＤ表示画面を前記額縁状開口に対して着脱可能に装着してＬＥＤ表示装置を備えた仮囲いパネルを形成したから、適宜の表示内容を自由に選択して高輝度のフルカラーＬＥＤ表示画面に自在に表示させることができ、高輝度表示ゆえに夜間においては十分な街灯代替機能を発揮できるという、従来の仮囲いパネルの表示装置ではなし得なかった表示態様を実現することができる。
特に、前記表示装置を備えた仮囲いのパネルの複数枚を並べた工事現場は、各表示装置の表示内容を一斉に変更したり、一斉に表示開始したり表示終了することができる。また、設置されている仮囲いパネルが複数の表示装置を備えていても各表示装置の間を電源ラインと信号ラインンで順次接続することができるから、各表示装置の電源ライン、信号ラインをスマートかつ合理的に配置することができる。
【図面の簡単な説明】
【００１４】
【図１】本考案仮囲いパネルの一例の正面側斜視図。
【図２】図１の仮囲いパネルの裏面側斜視図。
【図３】図１の仮囲いパネルにおける正面図。
【図４】図３の仮囲いパネルにおける背面図。
【図５】図３の仮囲いパネルにおける右側面図。
【図６】図３の仮囲いパネルの平面図。
【図７】本考案仮囲いパネルにＬＥＤ表示装置を架装した状態の拡大平断面図。
【考案を実施するための形態】
【００１５】
図１〜図７において、１は、平面視した左右両側部にパネル同士の接合用の起立段部１ａ，１ｂが曲げ形成された標準的仕様の仮囲いパネルであり、この仮囲いパネルは、鋼板製又はプラスチック製のいずれかである。平面から見た前記パネル１の左右方向において前記起立段部１ａ，１ｂで互に密着接合された状態で立設される隣接する複数枚の仮設パネル１により形成される仮囲いＷは、その仮囲いＷの背面に当接して縦横に配置される単管等による支持部材や支持枠体（図示せず）によって立設姿勢が保持されている。
【００１６】
２は、１枚の仮囲いパネル１の上半側に透設された、後述する表示装置Ｌｄによる
表示画面６を露出させるための表示用角穴で、該表示用角穴２の左右側に対応した部位に仮囲いパネル同士を接合するために形成された起立段部１ａ，１ｂの折返した裏面（仮囲いパネル１の正面と平行な面）には、表示装置Ｌｄをその左右の翼状支持辺５ｂ，５ｃにおいて係止するためのナット４ａを備えた４本のネジ杆４が後述する表示装置Ｌｄの取付手段として立設されている。
【００１７】
本考案仮囲いパネル１に一体に設けられる表示装置Ｌｄの一例は、図１〜図７に示す次の構成を備えたものである。
図７において、５は前面側を額縁状に開口した前面開口部５ａを有する浅底の箱状本体で、この箱状本体５は、左右側部に、略帯状の翼状支持辺５ｂ，５ｃを備え、かつ、箱状本体５の底に当たる裏面開口部５ｄに対して図の例では４枚の裏蓋５ｅがビス５ｆにより着脱自在に設けられている。
【００１８】
図示した箱状本体５は、額縁状開口５ａを有する前面側部材５１と、該前面側部材５１に被せられた形態を有し且つ前記翼状支持辺５ｂ，５ｃと裏蓋５ｅを備える後面側部材５２とから成る２ピースタイプであるが、箱状本体５は上記２ピースタイプに限られるものではない。２ピースタイプでは裏蓋５ｅを設けないタイプもある。なお、５ｈは、箱状本体５における前面側部材５１と後面側部材５２を、両部材５１，５２の側面壁部で結合するためのピン等による結合部材である。
【００１９】
前記箱状本体５における左右の翼状支持辺５ｂ，５ｃには、前記仮設パネル１の起立段部１ａ，１ｂの平面から見た略水平辺に立てられている４本のネジ杆４に嵌まる４個のダルマ孔５ｇが当該翼状支持辺５ｂ，５ｃの上部と下部に設けられている。だるま孔５ｇがネジ杆４に係合されると、前記ネジ杆４とナット４ａの緊締、弛緩により表示装置Ｌｄを仮囲いパネル１の表示用角穴２に対して容易かつ強固に固定すること、及び迅速に着脱することができる。
【００２０】
６は、前記額縁状開口５ａに対して表示面を配置するＬＥＤランプによる表示画面で、この表示画面６は、ＲＧＢ３色のＬＥＤ素子を１つのランプにパッケージしてフルカラーの画素としたＬＥＤランプの多数個を画面いっぱいに配列し形成されている。前記画素はＲＧＢの３色個々の３つのＬＥＤランプを１セットの画素として画面いっぱいに組み込んだタイプのものであってもよい。表示画面６のＬＥＤランプの前面側には例えば、紫外線からの防護や不測の外力からの防護のため紫外線カット機能を有する透明又は半透明のポリカーボネイト板による防護板６ａが配置されている。６ｂは表示画面６の筐体である。
【００２１】
前記表示画面６には、外部の制御用コンピュータ（ＰＣ）や映像機器（いずれも図示せず）等から送られる複数の入力信号を切り替えるスイッチ機能や入力信号を表示画面への最適信号に変換制御するスケーリング機能を備えたビデオ信号処理部７と、該ビデオ信号処理部７からの映像信号と制御信号を分配して表示画面６を駆動する信号分配制御部８が、ＬＥＤ表示制御部の一例として備えられている。なお、ＬＥＤ表示制御部は、映像信号が１台のコンピュータ（ＰＣ）から入力するシステムではビデオ信号処理部７は無くてもよく信号分配制御器８があれば足りる。また、ＬＥＤ表示制御部において前記信号分配制御部８と表示画面６の間には、周囲の明るさに応じて当該表示画面６の発光輝度を前記信号分配制御部８に自動調整させるためのライトセンサー（図示せず）を配置することがある。
【００２２】
上記表示画面６は、ＰＣや映像機器等の入力手段から静止画や動画、或は文字列等の入力信号がＬＥＤ表示制御部に供給されればそれらを自在に表示できるから、工事企業の名称や商標等、或は工程表等の工事関連情報の表示は勿論のこと、周囲の環境にマッチした動画や静止画等、或は工事地区の広報事項等を動画や静止画等で表示することができる。
【００２３】
上記表示画面６の大きさは、図１〜図６の例では仮囲いパネル１の１枚の左右幅の大きさに合わせた略正方形であったが、本考案では表示画面６の大きさを、仮設パネル１の２枚分や３枚分の左右幅、或はそれ以上分の左右幅に形成したものがある。
この表示画面６では、縦幅も図１〜図６に示した例の少なくとも略２倍の大きさである。また、図１〜図６に示した表示画面６では、上下幅（高さ）を少なくとも２倍以上の大きさにしたり、拡大左右幅に合わせ上下幅も適宜大きく形成したものなどがあるから、表示画面６の大きさをどの程度の大きさに形成したものを仮囲いパネルに組み込むかは任意である。なお、表示画面６の大きさを大きくする場合、仮囲いＷ（複数枚を密接させて立設した仮設パネル１）に形成する表示用角穴２とこの表示用角穴２に当てがう箱状本体５も大きく形成し、大きく形成したい表示画面６に見合った大きさの表示用角穴２と箱状本体５を用意して大型の表示装置Ｌｄを形成する。
【００２４】
ここで表示装置Ｌｄが図示した実施例より縦方向に伸びた大きさのものである場合、翼状支持辺５ｂ，５ｃのダルマ孔５ｇや仮囲いパネル１における起立段部１ａ，１ｂのネジ杆４の配置数も相応して増やす。
また前記表示装置Ｌｄが、実施例に比べ横方向、又は縦横方向に拡大された大きさのものであるときは、２枚以上の仮設パネル１に形成される横幅の大きな表示用角穴２に装着される表示装置Ｌｄの支持は、仮囲いＷを支持するために設置されている単管（図示せず）に、表示装置Ｌｄの箱状本体５の外周に形成した翼状支持辺５ｂ，５ｃ
を結合させて支持させる。前記表示装置Ｌｄの横方向での支持は、前記単管によらず並んだ仮設パネル１の起立段部１ａ，１ｂに横架した横桟部材（図示せず）に、箱状本体５の上下辺に設けた翼状支持辺を、前記横桟部材と翼状支持辺に配置する孔とネジ杆によって結合支持することもできる。
【００２５】
本考案仮囲いパネル１に組み込まれる表示装置Ｌｄは、図７に例示するように箱状本体５の内部に、ＬＥＤランプによる表示画面６、ビデオ信号処理部７、信号分配制御部８、及び配置されていればライトセンサーに作動電力を供給、遮断する電源部９を含むＬＥＤ表示制御部を備えており、前記電源部９に接続されて外部の商用電源等の電力を供給するためのリード部コード９ａ付きの入力用プラグ９ｂと出力用コンセント９ｃとが、当該箱状本体５の外部に配置されている。前記ＬＥＤ表示制御部は前記箱状本体５の外部に配置されていてもよい。
【００２６】
上記表示装置Ｌｄでは、上記のように仮囲いパネル１の表示用角穴２に表示画面６を対面させて架装される当該表示画面６を備えた箱状本体５に対し、当該箱状本体５の内部又は外部に配置されるＬＥＤ表示制御部の電源部９に接続されている入力用プラグ９ｂと出力用コンセント９ｃを前記箱状本体５の外部に設けたから、表示装置Ｌｄを備えた複数枚の仮囲いパネル１が列接された仮囲いＷを形成したとき、各表示装置Ｌｄの駆動用電力を、並んだ各表示装置Ｌｄの間で、両端に連結用プラグとコンセントを備えた延長ケーブル（図示せず）を介して、又は延長ケーブルを介在させないで、直列接続することができる。
【００２７】
上記の接続形態より仮囲いＷに適宜間隔で並べた複数個の表示装置Ｌｄに対する電源ラインをスマートに設定することができる。なお、工事現場等には、通常、１００Ｖの現場用コンセントが設置されるが、本考案では、現場用コンセントが１個あれば、上記電源ラインの接続形態で仮囲いＷを形成する複数枚の仮囲いパネル１が夫々に備えている表示装置Ｌｄに必要な電力を供給することができる。
【００２８】
また、上記表示装置Ｌｄでは、表示画面６を前面側に有する箱状本体５における上面の天壁、及び左右の側壁の前端縁より後退した位置に表示画面６の防護板６ａを位置付ける、或は前記天壁と左右両側壁の前端側を表示画面６の前面から鍔状に突出させて形成することにより、表示画面６の前面側上方、或は側面側上方から雨水等が降り注いでも、表示画面６の内部に雨水が浸入し難いか、或は浸入できないから、仮囲いパネルに配置され常時屋外に設置されてもいわゆる全天候型の表示装置として用いることができる。
【００２９】
一方、本考案仮囲いパネルが備える表示装置Ｌｄでは、高輝度のＬＥＤを主体とする表示画面６を用いているから、夜間の表示においては十分な照度の表示画面６が仮囲いＷ周辺の夜間街灯を兼用することができる。更には、ＰＣ等からＬＥＤ表示制御部を通して表示画面６に選択的に供給させる映像信号によりＲＧＢのＬＥＤランプを画素にした前記表示画面６に、動画や文字等を前記ＰＣ等により任意に選択しつつ制御して表示させることができるから、表示内容の設定、選択、切換えを手元のＰＣ等で自在に実行できる。
【符号の説明】
【００３０】
Ｗ    仮囲い
１    仮囲いパネル
２    支持枠体
３    角穴
４    係止用のネジ杆
４ａ  ネジ杆のナット
Ｌｄ  表示装置
５    箱状本体
５１  前面側部材
５２  後面側部材
５ａ  前面開口部
５ｂ，５ｃ  翼状支持辺
５ｄ  後面開口部
５ｅ  裏蓋
５ｆ  ビス
５ｇ  だるま孔
５ｈ  前，後面部材５１，５２の結合部材
６    表示画面
６ａ  防護板
６ｂ  表示画面の筐体
７    ビデオ信号処理器
８    信号分配制御器
９    電源部
９ａ    リード部コード
９ｂ  連結用プラグ
９ｃ  連結用コンセント
【図１】
0003213744.tif 000003
【図２】
0003213744.tif 000004
【図３】
0003213744.tif 000005
【図４】
0003213744.tif 000006
【図５】
0003213744.tif 000007
【図６】
0003213744.tif 000008
【図７】
0003213744.tif 000009